(57)【要約】【課題】  本発明は、留守番メッセージをメールに変換させること、及び、お互いのメールアドレスを知らなくてもメールを送受信できることを特徴とする。【解決手段】  前記音声通信装置から入力された文字通信装置の仮の連絡先情報を正規の連絡先情報に変換する宛先変換部と、前記音声通信装置から入力された音声情報に基づいて文字情報を作成する文字変換部と、前記文字情報に基づいて確認用音声情報を作成し、前記確認用音声情報を前記音声通信装置に送信する音声合成部と、前記文字変換部が前記音声通信装置から前記確認用音声情報に対する応答を受信した時、前記文字変換部から前記文字情報を受信し、前記文字情報に基づいて電子文書を作成し、前記電子文書を前記文字通信装置に出力する電子文書作成部とを具備するメッセージ変換システムを提供する。【選択図】        図１
2006270891.tif 000002
【特許請求の範囲】
【請求項１】
音声通信装置から入力された音声情報に基づいて文字情報を作成する文字変換部と、
前記文字情報に基づいて確認用音声情報を作成し、前記確認用音声情報を前記音声通信装置に送信する音声合成部と、
前記文字変換部が前記音声通信装置から前記確認用音声情報に対する応答を受信した時、前記文字変換部から前記文字情報を受信し、前記文字情報に基づいて電子文書を作成し、前記電子文書を文字通信装置に出力する電子文書作成部と
を具備する
メッセージ変換システム。
【請求項２】
請求項１に記載のメッセージ変換システムにおいて、
前記音声通信装置から入力された前記文字通信装置の仮の連絡先情報を正規の連絡先情報に変換する宛先変換部を更に具備する
メッセージ変換システム。
【請求項３】
請求項２のいずれか一項に記載のメッセージ変換システムにおいて、
前記音声情報は留守番電話の伝言メッセージであり、
前記電子文書は電子メールであり、
前記仮の連絡先情報は電話番号であり、
前記正規の連絡先情報はメールアドレスである
メッセージ変換システム。
【請求項４】
請求項３に記載のメッセージ変換システムにおいて、
前記文字変換部は、前記伝言メッセージを録音する
メッセージ変換システム。
【請求項５】
請求項１乃至４のいずれか一項に記載のメッセージ変換システムにおいて、
前記音声合成部は、前記文字通信装置が前記電子文書に対して返信した時、前記返信の内容に基づいて返信用音声情報を作成し、前記返信用音声情報を前記音声通信装置に送信する
メッセージ変換システム。
【請求項６】
音声通信装置から入力された音声情報に基づいて文字情報を作成すること、
前記文字情報に基づいて確認用音声情報を作成し、前記確認用音声情報を前記音声通信装置に送信すること、
前記音声通信装置から前記確認用音声情報に対する応答を受信した時、前記文字情報に基づいて電子文書を作成し、前記電子文書を文字通信装置に出力すること
を具備する
メッセージ変換方法。
【請求項７】
請求項６に記載のメッセージ変換方法において、
前記音声通信装置から入力された前記文字通信装置の仮の連絡先情報を正規の連絡先情報に変換することを更に具備する
メッセージ変換方法。
【請求項８】
請求項７のいずれか一項に記載のメッセージ変換方法において、
前記音声情報は留守番電話の伝言メッセージであり、
前記電子文書は電子メールであり、
前記仮の連絡先情報は電話番号であり、
前記正規の連絡先情報はメールアドレスである
メッセージ変換方法。
【請求項９】
請求項８に記載のメッセージ変換方法において、
前記伝言メッセージを録音することを更に具備する
メッセージ変換方法。
【請求項１０】
請求項６乃至９のいずれか一項に記載のメッセージ変換方法において、
前記文字通信装置が前記電子文書に対して返信した時、前記返信の内容に基づいて返信用音声情報を作成し、前記返信用音声情報を前記音声通信装置に送信することを更に具備する
メッセージ変換方法。
【請求項１１】
請求項６乃至９のいずれか一項に記載のメッセージ変換方法を、コンピュータに実行させるためのプログラム。
【発明の詳細な説明】
【技術分野】
【０００１】
本発明は、お互いのメールアドレスを知らなくても、メッセージ（音声）内容をメールで伝えることが可能なメッセージ変換システム、メッセージ変換方法及びプログラムに関する。
【背景技術】
【０００２】
従来、着信者側が電話に出られない時に用件を伝言メッセージで残し、着信者側が伝言メッセージを確認する留守番電話サービスがあるが、街中での騒音が大きい時や相手の口調が上手く聞き取れない時に発信者が伝えたかった内容が上手く伝わらないことがあった。また、着信者側の通信装置が留守番電話サービスに対応している必要があった。
【０００３】
メールであれば街中での騒音に関係なく用件を伝えることが可能であるが、電話での通話操作に比べ、メールの入力操作は手間がかかる。また、通話機能のみの電話機といったメール機能のない通信装置からは、メールによる通信を行うことができない。更に、通話機能とメール機能を共に備えた通信装置を使用していても、通話の用件をメールで通知したい場合、一旦通話を終了し、改めてメールで通知する必要があった。
【０００４】
なお、留守番電話があったことをメールで通知するというシステムが従来技術として知られている（特許文献１参照）。この従来技術のシステムは、着信者側が留守番電話サービスを保有していない場合でも、発信者側の留守番電話サービスを利用して録音し、着信音に対する通知を電子メールで行うサービスを提供している。
【０００５】
従来技術には次のような問題点があった。第一の問題点は、留守番電話があったことしかメールで伝えないことである。第二の問題点は、留守番電話があった旨の通知をメールで受けた後、折り返し発信者側に問い合わせなければならないということである。
【０００６】
【特許文献１】特開２００１−２０４０７８号公報
【発明の開示】
【発明が解決しようとする課題】
【０００７】
本発明の目的は、着信者が不在着信に気付いた際に、受信したメールによりその内容を知ることが可能となるメッセージ変換システム、メッセージ変換方法及びプログラムを提供することである。
本発明の他の目的は、番号ポータビリティ制度により他のキャリアに移り、電話番号はそのままでメールアドレスが変わった場合や、電話番号は知られていてもメールアドレスを教えたくない相手とメールを送受信することが可能となるメッセージ変換システム、メッセージ変換方法及びプログラムを提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。
【０００９】
本発明のメッセージ変換システム（１０，１００）は、音声通信装置（２０，２００）から入力された音声情報に基づいて文字情報を作成する文字変換部（１２，１５，１２０）と、前記文字情報に基づいて確認用音声情報を作成し、前記確認用音声情報を前記音声通信装置（２０，２００）に送信する音声合成部（１３，１６，１３０）と、前記文字変換部（１２，１５，１２０）が前記音声通信装置（２０，２００）から前記確認用音声情報に対する応答を受信した時、前記文字変換部（１２，１５，１２０）から前記文字情報を受信し、前記文字情報に基づいて電子文書を作成し、前記電子文書を文字通信装置（３０，３００）に出力する電子文書作成部（１４，１４０）とを具備する。
【００１０】
本発明のメッセージ変換システム（１０，１００）は、前記音声通信装置（２０，２００）から入力された前記文字通信装置（３０，３００）の仮の連絡先情報を正規の連絡先情報に変換する宛先変換部（１１，１１０）を更に具備する。
【００１１】
本発明のメッセージ変換システム（１０，１００）において、前記音声情報は留守番電話の伝言メッセージであり、前記電子文書は電子メールであり、前記仮の連絡先情報は電話番号であり、前記正規の連絡先情報はメールアドレスである。
【００１２】
前記文字変換部（１２，１５，１２０）は、前記伝言メッセージを録音する。
【００１３】
本発明のメッセージ変換システム（１０，１００）は、前記音声合成部（１３，１６，１３０）は、前記文字通信装置（３０，３００）が前記電子文書に対して返信した時、前記返信の内容に基づいて返信用音声情報を作成し、前記返信用音声情報を前記音声通信装置（２０，２００）に送信する。
【００１４】
本発明のメッセージ変換方法は、音声通信装置（２０，２００）から入力された音声情報に基づいて文字情報を作成すること、前記文字情報に基づいて確認用音声情報を作成し、前記確認用音声情報を前記音声通信装置（２０，２００）に送信すること、前記音声通信装置（２０，２００）から前記確認用音声情報に対する応答を受信した時、前記文字情報に基づいて電子文書を作成し、前記電子文書を文字通信装置（３０，３００）に出力することを具備する。
【００１５】
本発明のメッセージ変換方法は、前記音声通信装置（２０，２００）から入力された前記文字通信装置（３０，３００）の仮の連絡先情報を正規の連絡先情報に変換することを更に具備する。
【００１６】
本発明のメッセージ変換方法において、前記音声情報は留守番電話の伝言メッセージであり、前記電子文書は電子メールであり、前記仮の連絡先情報は電話番号であり、前記正規の連絡先情報はメールアドレスである。
【００１７】
本発明のメッセージ変換方法は、前記伝言メッセージを録音することを更に具備する。
【００１８】
本発明のメッセージ変換方法は、前記文字通信装置（３０，３００）が前記電子文書に対して返信した時、前記返信の内容に基づいて返信用音声情報を作成し、前記返信用音声情報を前記音声通信装置（２０，２００）に送信することを更に具備する。
【００１９】
本発明のプログラムは、前記のメッセージ変換方法をコンピュータに実行させる。
【発明の効果】
【００２０】
留守番メッセージ（音声情報）をテキストデータ（文字情報）に変換し、テキストデータからメールを作成することを可能にする。また、お互いのメールアドレスを知らなくてもメールの送受信が可能となる。
【発明を実施するための最良の形態】
【００２１】
以下に、本発明の第１実施形態について添付図面を参照して説明する。
図１に示すように、本発明のメッセージ変換システム１０は、音声通信装置２０と文字通信装置３０との通信を中継する。メッセージ変換システム１０と、音声通信装置２０及び文字通信装置３０との間の通信網は有線、無線を問わない。
メッセージ変換システム１０は、宛先変換部１１、文字変換部１２、音声合成部１３、電子文書生成部１４を備える。音声通信装置２０は、通話機能を搭載した装置である。文字通信装置３０は、電子メールを始めとする文字通信機能を搭載した装置である。また、文字通信装置３０は通話機能を搭載している場合もある。音声通信装置２０及び文字通信装置３０の例として、携帯電話端末がある。この時、音声通信装置２０には音声通信を中継する基地局又は交換機が含まれる。同様に、文字通信装置３０には電子メール通信を中継するメールサーバーが含まれる。なお、メールサーバーは電子文書生成部１４が備えていても良い。
【００２２】
宛先変換部１１は、メッセージ変換システム１０を介して音声通信装置２０と文字通信装置３０とを接続する時、音声通信装置２０と文字通信装置３０の宛先を各々の通信に対応した宛先に変換する。例えば、音声通信装置２０宛のメールアドレスを参照して対応する電話番号に変換し、文字通信装置３０宛の電話番号を参照して対応するメールアドレスに変換する。前記の宛先変換の際、宛先変換部１１は、電話番号及びメールアドレスが登録されている電話帳又はアドレス帳のデータテーブルを使用しても良い。前記の電話帳又はアドレス帳のデータテーブルは、宛先変換部１１に格納されている。この時、電話帳又はアドレス帳のデータテーブルには、音声通信装置２０及び文字通信装置３０のユーザの名称といった識別情報と、電話番号及びメールアドレスが登録されている。文字変換部１２は、音声通信装置２０からの音声メッセージを受信して音声認識によって文字変換を行うことが可能であり、文字変換した音声メッセージを音声合成部１３に転送して送信者に確認をすることが可能である。また、音声合成部１３は、文字通信装置３０から文字通信の返信として送られたテキストデータ（文字情報）を音声合成により音声に変換して音声通信装置２０に送出する。電子文書生成部１４は、宛先変換部１１及び文字変換部１２で取得した宛先、文字変換した音声メッセージといったデータを用いて電子文書を作成する。
なお、宛先変換部１１、文字変換部１２、音声合成部１３、電子文書生成部１４、音声通信装置２０及び文字通信装置３０の各々を接続する伝送路は、双方向通信を用いても良い。
【００２３】
メッセージ変換システム１０は、前記の動作を実行するためのプログラムを格納した記憶装置を備えていても良い。また、メッセージ変換システム１０はサーバーでも良いし、複数の装置を組み合わせたシステムでも良い。
【００２４】
図２に、本発明のメッセージ変換システムの動作について示す。
宛先変換部１１は、音声通信装置２０から文字通信装置３０の音声通信用の連絡先情報を受信し、この連絡先情報を文字通信装置３０の文字通信用の連絡先情報に変換する（ステップＳ１０１）。また、必要であれば、音声通信装置２０の音声通信用の連絡先情報を文字通信用の連絡先情報に変換する。例えば、音声通信装置２０及び文字通信装置３０が携帯電話端末であれば、宛先変換部１１は、音声通信装置２０から文字通信装置３０の電話番号を受信し、この電話番号を文字通信装置３０のメールアドレスに変換する。同様に、音声通信装置２０の電話番号をメールアドレスに変換する。これは、メールを送信する際、音声通信装置２０のメールアドレスを送信元のメールアドレスとして示すためである。なお、音声通信装置２０の電話番号をメールアドレスに変換せず、音声通信装置２０の電話番号をそのまま送信元の連絡先としてメールアドレスの代わりに示すようにしても良い。例えば、同じ通信キャリアに属する携帯電話間で使用されるショートメッセージサービス（ＳＭＳ）を始めとして、相手の電話番号宛にメール又はメッセージを送信可能な場合、宛先変換部１１で電話番号をメールアドレスに変換する処理は行わないようにする。
文字変換部１２は、音声通信装置２０から受信した音声メッセージの内容に基づいてテキストデータを作成する（ステップＳ１０２）。音声メッセージは、留守番電話サービスに録音された音声である。なお、録音ではなく、音声通信装置２０から文字変換部１２に直接音声メッセージを入力するようにしても良い。
音声合成部１３は、作成されたテキストデータの内容について音声通信装置２０の確認を求めるため、文字変換部１２から受信したテキストデータの内容に基づいて音声データを作成し（ステップＳ１０３）、作成された音声データを音声通信装置２０に送信する（ステップＳ１０４）。受信した音声通信装置２０は変換された音声データを確認した旨を文字変換部１２に通知する（ステップＳ１０５）。
音声通信装置２０から確認が通知されると（ステップＳ１０６のＹｅｓ）、文字変換部１２は、変換されたテキストデータを電子文書生成部１４に送信する（ステップＳ１０７）。また、ステップＳ１０６において、音声通信装置２０から変換されたテキストデータを修正するように通知された場合（ステップＳ１０６のＮｏ）、ステップＳ１０２の動作に戻り、音声メッセージを再入力するようにしても良い。なお、ステップＳ１０３からステップＳ１０６までの動作は行わないようにしても良い。
電子文書生成部１４は、前記の文字通信装置３０の文字通信用の連絡先情報、及び音声メッセージから変換されたテキストデータに基づいて、電子文書を作成し（ステップＳ１０８）、文字通信装置３０に送信する（ステップＳ１０９）。例えば、音声通信装置２０及び文字通信装置３０が携帯電話端末であれば、前記のメールアドレスと前記のテキストデータからメールを作成し、文字通信装置３０に送信する。
【００２５】
なお、ステップＳ１０１において、音声通信装置２０の文字通信用の連絡先情報が存在しない場合、宛先変換部１１が、音声通信装置２０の文字通信用の連絡先情報として仮の連絡先情報を与えるようにしても良い。仮の連絡先情報としては、宛先変換部１１が保有する複数の連絡先情報のうちいずれか１つを使用する。また、メッセージ変換システム１０の連絡先情報に音声通信装置２０を示す識別情報を組み合わせたものを使用するようにしても良い。
仮に与えた連絡先情報に対して返信された場合は、音声合成部１３が、仮に与えた連絡先情報から音声通信装置２０の音声通信用の連絡先情報を復元し、返信の内容であるテキストデータを音声データに変換し、連絡先情報に基づいて音声通信装置２０に通知する。
【００２６】
図３に、返信時の動作について示す。
文字通信装置３０が受信した電子文書に対して返信した場合、宛先変換部１１は、文字通信装置３０から音声通信装置２０の連絡先情報が文字通信用の連絡先情報であれば、この連絡先情報を音声通信装置２０の音声通信用の連絡先情報に変換する（ステップＳ２０１）。例えば、音声通信装置２０及び文字通信装置３０が携帯電話端末であり、音声通信装置２０の連絡先情報がメールアドレスであれば電話番号に変換する。なお、文字通信装置３０から受信した音声通信装置２０の連絡先情報が始めから電話番号であれば、この電話番号をそのまま音声通信装置２０の連絡先情報として使用する。
また、返信した電子文書の内容は音声合成部１３に送られる（ステップＳ２０２）。音声合成部１３が電子文書の内容を音声メッセージに変換し（ステップＳ２０３）、宛先変換部１１が有する音声通信装置２０の連絡先情報に基づいて、音声通信装置２０に音声メッセージを伝達する（ステップＳ２０４）。なお、音声通信装置２０が文字通信に対応していれば、文字通信装置３０は音声通信装置２０に、音声メッセージではなく電子文書で返信しても良い。
【００２７】
図４を参照し、本発明の実施例の構成について説明する。
本発明のメッセージ変換システム１０の例として、留守番メール変換システム１００がある。
留守番メール変換システム１００は、電話番号−メールアドレス変換装置１１０、音声認識システム装置１２０、文字認識システム装置１３０、メール生成装置１４０を備える。図４では、留守番メール変換システム１００はメールサーバー１５０をも備えているが、メールサーバー１５０はメッセージ変換システム１００の外部にあっても良い。
留守番メール変換システム１００が、図１のメッセージ変換システム１０であるとすると、電話番号−メールアドレス変換装置１１０は、図１の宛先変換部１１である。音声認識システム装置１２０は、図１の文字変換部１２である。文字認識システム装置１３０は、図１の音声合成部１３である。メール生成装置１４０は、図１の電子文書生成部１４である。なお、メールサーバー１５０は、図１ではメール生成装置１４０に含まれているものとする。また、携帯端末Ａ２００と基地局２１０は、図１の音声通信装置２０である。携帯端末Ｂ３００は、図１の文字通信装置３０である。ここでは、携帯端末Ａ２００と基地局２１０はキャリアＡに属し、留守番メール変換システム１００と携帯端末Ｂ３００はキャリアＢに属する。
この留守番メール変換システム１００は、携帯端末Ａ２００と基地局２１０を介して通信し、携帯端末Ａ２００から受信した携帯端末Ｂ３００への留守番電話の伝言を音声から文字に変換し、携帯端末Ｂ３００の電話番号をメールアドレスに変換し、留守番電話の伝言を電子メールとして携帯端末Ｂ３００に送信する。基地局２１０は、メッセージ変換システム１００と同じメッセージ変換システムでも良い。なお、留守番メール変換システム１００は、携帯端末Ｂ３００の基地局でも良い。
【００２８】
例えば、発信者が携帯端末Ａ２００から携帯端末Ｂ３００に電話を掛けるとする。携帯端末Ｂ３００を所有する着信者が電話を受け取ることができれば、本システムは起動を行うことは無い。しかし、例えば、携帯端末Ｂ３００が圏外、あるいは所定の呼び出し（発呼）回数の間に電話を受けなかったとすると不在着信となる。その際に携帯端末Ａ２００は留守番メール変換システム１００に接続され、メッセージガイダンスに従ってメッセージを録音する。そして、録音されたメッセージ内容は音声認識システムにて文字変換される。同時に、変換されたメールは再度音声に変換され音声として発信者に送信をする。受け取った発信者はそれを確認後、正しければ確認ボタンを押す。確認ボタンを押されると、音声認識システムは変換後のメールをメール生成装置１４０に送信する。
また、それと共に留守番メール変換システム１００内の電話番号−メールアドレス変換装置１１０は、携帯端末Ａ２００の電話番号を基に送信元メールアドレスを作成し、携帯端末Ｂ３００の電話番号を送信先メールアドレスに変換する。そこで作成された送信元及び送信先メールアドレスをメール生成装置１４０へ転送する。
メール生成装置１４０は音声認識システム１３０で変換されたメール本文と、電話番号−メールアドレス変換装置１１０にて作成したメールアドレスを組み合わせて、メールサーバー１５０へ送る。そして、メールサーバー１５０は携帯端末Ｂ３００へ送信する。
また、受信者はメールの返信を行うと、留守番電話サービスセンター１００内にて、メールサーバー１５０を介して文字認識システム１３０内にてメールを音声合成して、音声通話として携帯端末Ａ２００に伝言を送ることも可能である。
【００２９】
以下に、本発明の第２実施形態について図５を参照して説明する。
本発明の第２実施形態では、文字通信装置３０の文字通信用の連絡先情報を、音声メッセージの内容と共に音声で入力するようにする。例えば、音声通信装置２０及び文字通信装置３０が携帯電話端末であり、音声通信装置２０からの留守番電話の伝言をメールで文字通信装置３０に通知する場合、文字通信装置３０のメールアドレスを文字通信装置３０が音声で入力するようにする。
この時、メッセージ変換システム１０は、電子文書生成部１４、文字変換部１２、音声合成部１６を備える。
電子文書生成部１４は第１実施形態と同様である。文字変換部１２は、音声メッセージの内容を示すテキストデータを作成する。また、文字通信装置３０の連絡先情報を音声データで受信し、文字通信装置３０の連絡先情報を示す音声データをテキストデータに変換する。更に、文字変換部１２は第１実施形態の宛先変換部１１の機能を搭載しており、音声通信用の連絡先情報を文字通信用の連絡先情報に変換することが可能である。音声合成部１６は、電子文書の内容を示す音声データを作成する。また、音声通信装置２０の連絡先情報をテキストデータで受信し、音声通信装置２０の連絡先情報を示すテキストデータを音声データに変換する。更に、音声合成部１６は第１実施形態の宛先変換部１１の機能を搭載しており、文字通信用の連絡先情報を音声通信用の連絡先情報に変換することが可能である。
【００３０】
第２実施形態の実施例として、メール作成に使用する留守番電話の伝言（音声メッセージ）を音声ガイダンスに従って入力する留守番メール変換システムがある。例えば、音声通信装置２０から文字通信装置３０への留守番電話の伝言を録音する際に、「相手先の連絡先情報を入力して下さい」という音声ガイダンスを行う。この音声ガイダンスの後に、音声通信装置２０からのキー操作又は口頭での音声入力により、文字通信装置３０の電話番号を入力する。文字変換部１５は、音声通信装置２０から文字通信装置３０の電話番号を受信した場合、文字通信装置３０の電話番号をメールアドレスに変換する。なお、文字通信装置３０のメールアドレスが既に判明している場合、「相手先の連絡先情報を入力して下さい」という音声ガイダンスの後に文字通信装置３０のメールアドレスを入力できるようにしても良い。この時、文字変換部１５は、入力された連絡先情報が文字通信装置３０のメールアドレスであると判断する。
また、作成されたテキストデータの内容について音声通信装置２０の確認を求めるため、文字変換部１５は、作成されたテキストデータを音声合成部１６に送信する。音声合成部１６は、受信したテキストデータの内容に基づいて音声データを作成し、作成された音声データを音声通信装置２０に送信する。受信した音声通信装置２０は変換された音声データを確認した旨を文字変換部１５に通知する。
音声通信装置２０から確認が通知されると、文字通信装置３０のメールアドレスと音声メッセージの内容を示すテキストデータを電子文書生成部１４に送信する。電子文書生成部１４は、メールアドレスと音声メッセージの内容を示すテキストデータからメールを作成し、文字通信装置３０に送信する。
文字通信装置３０が送信されたメールに対して返信した場合、音声合成部１６は、返信メールを受信し、返信メールの内容に基づいて音声メッセージを作成する。また、返信メールの宛先が音声通信装置２０のメールアドレスであれば、音声通信装置２０のメールアドレスを電話番号に変換する。音声合成部１６は変換された電話番号に基づいて、返信メールの内容を示す音声メッセージを音声通信装置２０に送信する。
【００３１】
なお、音声通信装置２０及び文字通信装置３０がそれぞれ特定の端末であり、常に１対１の通信が行われる場合、メッセージ変換システム１０において音声通信装置２０及び文字通信装置３０の連絡先情報を予め設定しておけば、連絡先情報の入力及び宛先変換は行わなくても良い。
【００３２】
本発明を用いた留守番電話サービスにて、伝言メッセージに対する音声認識ではなく、ポケットベルやショートメールのようにプッシュボタン（トーン）でメッセージを入力して（例：１１＝あ、１２＝い）、メッセージを作成することも可能である。
【００３３】
本発明における音声通信装置２０及び文字通信装置３０の例としては、携帯電話端末を始め、ＰＤＡ（Ｐｅｒｓｏｎａｌ  Ｄｉｇｉｔａｌ  Ａｓｓｉｓｔａｎｃｅ）、コンピュータ、ゲーム機、及び双方向テレビといったディジタル家電が考えられる。但し、実際には前記の例に限定されるものではなく、音声通信装置２０は音声通話が可能な通信装置であり、文字通信装置３０はメールの送受信が可能な通信端末であれば良い。
【００３４】
現在では、メール、音声（ボイス）メール、ＦＡＸのメッセージといった情報を一元化したユニファイドメッセージシステムが知られている。ユニファイドメッセージシステムでは、メールからＦＡＸを送信したり、留守電を音声データにしてメール添付で受信したり、電話でメールを読み上げて確認したりすることができる。このユニファイドメッセージシステムの一部に本発明を適用することが考えられる。
【００３５】
以上のように、本発明は、留守番メッセージ（音声情報）をテキストデータ（文字情報）に変換し、テキストデータからメールを作成すること、及び、お互いのメールアドレスを知らなくてもメールを送受信できることを特徴とする。これにより、着信者が不在着信に気付いた際に、受信したメールによりその内容を知ることが可能となる。また、番号ポータビリティ制度により他のキャリアに移り、電話番号はそのままでメールアドレスが変わった場合や、番号は知られていてもメールアドレスを教えたくない相手とメールを送受信することが可能となる。
また、本発明は、通話及びメール機能が搭載された携帯通信端末に着信があり、着信できず不在着信となった際に、留守番電話で音声を残すのではなく、メールとして相手に文字で伝えることにより、例えば、街中の騒音で周りが騒がしい場所でも、メールで相手に伝えることが可能となる。
【図面の簡単な説明】
【００３６】
【図１】図１は、本発明の第１実施形態を示すブロック図である。
【図２】図２は、音声メッセージをテキストデータに変換して伝送する動作を示すフローチャートである。
【図３】図３は、返信の際の動作を示すフローチャートである。
【図４】図４は、本発明の実施例を示すブロック図である。
【図５】図５は、本発明の第２実施形態を示すブロック図である。
【符号の説明】
【００３７】
１０…  メッセージ変換システム
１１…  宛先変換部
１２…  文字変換部
１３…  音声合成部
１４…  電子文書作成部
１５…  文字変換部
１６…  音声合成部
２０…  音声通信装置
３０…  文字通信装置
１００…  留守番メール変換システム
１１０…  電話番号−メールアドレス変換装置
１２０…  音声認識システム装置
１３０…  文字認識システム装置
１４０…  メール生成装置
１５０…  メールサーバー
２００…  携帯端末Ａ
２１０…  基地局
３００…  携帯端末Ｂ
【図１】
2006270891.tif 000003
【図２】
2006270891.tif 000004
【図３】
2006270891.tif 000005
【図４】
2006270891.tif 000006
【図５】
2006270891.tif 000007